(57)【要約】【課題】紛失、盗難に迅速に対応することができる携帯端末及びその制御方法を提供すること。【解決手段】本発明にかかる携帯端末１は、無線通信部１１と、操作部１２と、通信判定部１３と、実行部１４と、を備える。無線通信部１１は、基地局との間で通信を行う。通信判定部１３は、前記無線通信部１１と基地局との間で通信が行われているか否かを判定する。実行部１４は、基地局との通信が所定の時間行われていないと判定された場合、操作部１２の操作に拘らず、予め設定された動作を携帯端末１に実行させるための紛失モードを実行する。【選択図】図１
2013176000.tif 000002
【特許請求の範囲】
【請求項１】
操作手段を備えた携帯端末であって、
基地局との間で通信を行う無線通信手段と、
前記無線通信手段と前記基地局との間で通信が行われているか否かを判定する通信判定手段と、
前記通信判定手段により前記基地局との通信が所定の時間行われていないと判定された場合、前記操作手段の操作に拘らず、予め設定された動作を前記携帯端末に実行させるための紛失モードを実行する実行手段と、
を備える携帯端末。
【請求項２】
前記携帯端末の位置情報を取得する位置情報取得手段と、
前記位置情報が予め設定された区域を出たか否かを判定する位置判定手段と、をさらに備え、
前記実行手段は、前記位置判定手段により前記位置情報が予め設定された区域を出たと判定された場合、前記紛失モードを実行する請求項１に記載の携帯端末。
【請求項３】
前記実行手段は、前記紛失モードにおいて、前記位置情報取得手段に、前記位置情報を取得させ、予め設定されたメールアドレスに送信する請求項２に記載の携帯端末。
【請求項４】
計時手段と、
前記計時手段が予め設定された時間を計時したか否かを判定する時間判定手段と、をさらに備え、
前記実行手段は、前記時間判定手段により予め設定された前記時間が計時されたと判定された場合、前記紛失モードを実行する請求項１〜３のいずれか一項に記載の携帯端末。
【請求項５】
前記実行手段は、前記紛失モードにおいて、予め設定された電話番号からの着信または予め設定されたメールアドレスからのメールの受信があった場合、予め設定された前記動作を前記携帯端末に実行させる請求項１〜４のいずれか一項に記載の形態端末。
【請求項６】
前記実行手段は、前記紛失モードにおいて、前記無線通信手段に対して、前記携帯端末に格納されたデータを、予め設定された外部機器に送信させる請求項１〜５のいずれか一項に記載の携帯端末。
【請求項７】
前記実行手段は、前記携帯端末に格納された前記データを、前記外部機器に送信した後に、前記データを消去する請求項６に記載の携帯端末。
【請求項８】
前記実行手段は、前記紛失モードにおいて、予め設定された電話番号から着信があった場合、当該着信に応答し、通話を開始する請求項１〜７のいずれか一項に記載の携帯端末。
【請求項９】
撮像手段をさらに備え、
前記実行手段は、前記紛失モードにおいて、前記撮像手段に対して撮像処理を実行させて画像データを取得し、前記無線通信手段に対して予め設定されたメールアドレスに前記画像データを送信させる請求項１〜８のいずれか一項に記載の携帯端末。
【請求項１０】
操作手段を備えた携帯端末の制御方法であって、
無線通信手段と基地局との間で通信が行われているか否かを判定し、
前記基地局との通信が所定の時間行われていないと判定した場合、前記操作手段の操作に拘らず、予め設定された動作を前記携帯端末に実行させるための紛失モードを実行する携帯端末の制御方法。
【発明の詳細な説明】
【技術分野】
【０００１】
本発明は携帯端末及びその制御方法に関する。
【背景技術】
【０００２】
現在、携帯電話等の携帯端末の普及率が高まるとともに、携帯端末の紛失事故や盗難事故が増加している。また、個人情報保護法に伴い、ユーザデータのセキュリティへの関心も高まってきている。
【０００３】
このような状況に鑑みて、携帯電話等の携帯端末の通信キャリアは、ユーザが携帯端末を紛失した場合に、当該携帯端末の位置情報を確認し、探索を行うサービスを提供している。また、紛失した携帯端末の電話帳等の情報が悪用されないように、携帯端末の操作をロックするサービスも提供されている。
【０００４】
一方、特許文献１〜３には、ユーザが、紛失した携帯端末を遠隔操作して、当該携帯端末の位置情報を送信したり、操作をロックしたりする携帯端末が開示されている。これにより、ユーザは、通信キャリアを介さずに、独自に紛失した携帯端末の探索等をすることができる。
【先行技術文献】
【特許文献】
【０００５】
【特許文献１】特開２００４−１４０７１０号公報
【特許文献２】特開２００６−２５４３１１号公報
【特許文献３】特開２００８−２１１５６２号公報
【発明の概要】
【発明が解決しようとする課題】
【０００６】
しかしながら、特許文献１〜３に記載の携帯端末においては、携帯端末の位置情報の取得や操作ロックをするために、ユーザがメール等を用いて遠隔操作する必要がある。そのため、ユーザが携帯端末を紛失してから紛失したことに気付くまでの間は、紛失した携帯端末に対して何ら対応することができない。
【０００７】
本発明はこのような問題を解決するためになされたものであり、紛失、盗難に迅速に対応することができる携帯端末及びその制御方法を提供することを目的としている。
【課題を解決するための手段】
【０００８】
本発明にかかる携帯端末は、操作手段を備えた携帯端末であって、基地局との間で通信を行う無線通信手段と、前記基地局との間で通信が行われているか否かを判定する通信判定手段と、前記通信判定手段により前記基地局との通信が所定の時間行われていないと判定された場合、前記操作手段の操作に拘らず、予め設定された動作を前記携帯端末に実行させるための紛失モードを実行する実行手段と、を備えるものである。
【０００９】
本発明にかかる携帯端末の制御方法は、操作手段を備えた携帯端末の制御方法であって、基地局との間で通信が行われているか否かを判定し、前記基地局との通信が所定の時間行われていないと判定した場合、前記操作手段の操作に拘らず、予め設定された動作を前記携帯端末に実行させるための紛失モードを実行するものである。
【発明の効果】
【００１０】
本発明により、紛失、盗難に迅速に対応することができる携帯端末及びその制御方法を提供することができる。
【図面の簡単な説明】
【００１１】
【図１】実施の形態１にかかる携帯端末のブロック図である。
【図２】実施の形態２にかかるシステム全体の構成を示す図である。
【図３】実施の形態２にかかる携帯電話機のブロック図である。
【図４】実施の形態２にかかる携帯電話機の動作を示すシーケンス図である。
【図５】実施の形態２にかかる携帯電話機の動作を示すシーケンス図である。
【図６】実施の形態２にかかる携帯電話機の動作を示すシーケンス図である。
【図７】実施の形態２にかかる携帯電話機の動作を示すシーケンス図である。
【図８】実施の形態２にかかる携帯電話機の動作を示すシーケンス図である。
【図９】実施の形態３にかかる携帯電話機の動作を示すシーケンス図である。
【図１０】実施の形態４にかかる携帯電話機の動作を示すシーケンス図である。
【発明を実施するための形態】
【００１２】
＜実施の形態１＞
本発明にかかる実施の形態１について説明する。図１は本実施の形態にかかる携帯端末１のブロック図である。携帯端末１は、無線通信部１１と、操作部１２と、通信判定部１３と、実行部１４と、を備える。なお、携帯端末１とは、例えば、携帯電話機、携帯音楽プレーヤー、携帯ゲーム機、タブレットＰＣ（Personal Computer）等である。
【００１３】
無線通信部１１は、Ｂｌｕｅｔｏｏｔｈ（登録商標）あるいはＷｉＦｉなどのような近接無線通信、あるいは公衆通信網を介して、基地局や他の端末と通信を行う。無線通信部１１は、例えば、音声信号の送受信、メールの送受信等を行う。
【００１４】
操作部１２は、ボタンや十字キー、タッチパネル等のインターフェースである。ユーザは、操作部１２を操作することにより、携帯端末１に情報を入力する。
【００１５】
通信判定部１３は、無線通信部１１が公衆通信網を介して、基地局との通信をしているか否かを判定する。通信判定部１３は、例えば、携帯端末１の電源がＯＦＦの場合や、通信圏外の場合に、基地局との通信が行われていないと判定する。通信判定部１３は、判定結果を実行部１４に通知する。
【００１６】
実行部１４は、例えば、ＣＰＵ(Central Processing Unit)を備える制御部であり、図示しないメモリに格納された制御プログラムに応じて、携帯端末１の動作を制御する。通信判定部１３が携帯電話機１と基地局との通信が所定の時間行われていないと判定した場合、実行部１４は、紛失モードを実行する。なお、所定の時間とは、例えば、数時間、半日（１２時間）や１日（２４時間）等であり、ユーザが適宜設定することができる。
【００１７】
ここで、紛失モードとは、操作部１２の操作に拘らず、予め設定された動作を携帯端末１に実行させるためのモードである。紛失モードにおいては、実行部１４は、操作部１２の操作に拘らず、例えば、携帯端末１のメモリデータを外部機器に転送したり、当該メモリデータを消去したり、携帯端末１の位置情報を取得し、当該位置情報を外部機器に送信したり、外部の電話機からの着呼に応答したりする。紛失モードが実行されることにより、操作部１２が操作されなくても、携帯端末１は実行部１４により自動的に上記の動作を実行する。
【００１８】
続いて、本実施の形態にかかる携帯端末１の動作例について説明する。まず、携帯端末１が紛失または盗難されたとする。このとき、通信判定部１３は、定期的に携帯端末１の通信状況を確認している。携帯端末１の電源がＯＦＦ等の要因によって、携帯端末１と基地局との通信が行われていない場合、通信判定部１３が、通信が行われていないと判定し、当該判定結果を実行部１４に通知する。
【００１９】
実行部１４は、通信判定部１３により携帯端末１が予め設定された時間継続して通信を行っていないと判定された場合、紛失モードを実行する。これにより、携帯端末１は、操作部１２の操作に拘らず、自動的に予め設定された動作を実行可能となる。
【００２０】
以上のように、本実施の形態にかかる携帯端末１の構成によれば、通信判定部１３が、携帯端末１と基地局との通信の有無を判定する。そして、携帯端末１と基地局との通信が行われていない場合、実行部１４が、紛失モードを実行する。これにより、携帯端末１は、自動的に予め設定された動作を実行可能となる。したがって、携帯端末１の紛失後に、ユーザが携帯端末１に対して何ら命令しなくても、携帯端末１は、自動的に電話帳等のユーザデータの保護や、携帯端末１の探索に利用できるデータの送信等の動作を行うことができる。その結果、紛失、盗難に迅速に対応することができる。
【００２１】
＜実施の形態２＞
以下、図面を参照して本発明の実施の形態について説明する。本実施の形態においては、携帯端末の一例として携帯電話機２を用いて説明する。はじめに、本実施の形態にかかる携帯電話機２を含むシステム全体の構成について説明する。図２はシステムの全体構成を示す図である。携帯電話機２は、基地局９１やＧＰＳ（Global Positioning System）衛星９２と通信しており、位置情報を取得することができる。また、携帯電話機２は、予め設定された他の電話機９３や外部のＰＣ９４と通信可能であり、画像データや音声データの送受信をすることができる。
【００２２】
図３を参照して携帯電話機２の詳細な構成について説明する。図３は、携帯電話機２のブロック図である。携帯電話機２は、無線通信部１１及び操作部１２に加えて、ＧＰＳ処理部２１と、カメラ２２と、タイマ２３と、紛失モード制御部（通信判定部１３、実行部１４に対応）２４と、ユーザデータ２５と、紛失モード用制御データ２６と、を備える。なお、無線通信部１１及び操作部１２の構成については携帯端末１と同様であるので、説明を適宜省略する。
【００２３】
無線通信部１１は、図示しないアンテナを有しており、通常の携帯電話機の通信（電話通信、テレビ電話通信、メール送受信等）を行う。また、基地局９１とも通信を行い、携帯電話機２の位置情報を取得する。
【００２４】
ＧＰＳ処理部２１は、ＧＰＳ衛星９２から携帯電話機２の位置情報を取得する。なお、上記の通り、携帯電話機２の位置情報は、基地局９１からも取得できる、そのため、携帯電話機２は、必ずしもＧＰＳ処理部２１を備えていなくてもよい。
【００２５】
カメラ２２（撮像手段）は、テレビ電話時におけるユーザの撮影や、静止画または動画の撮影を行う。タイマ２３は、時間を計時する。なお、タイマ２３が計時した時間は、ユーザの操作によりリセット可能としてもよい。
【００２６】
紛失モード制御部２４は、例えばＣＰＵを備え、紛失モードにおける携帯電話機２の動作を制御する。つまり、紛失モード制御部２４は、紛失モード実行処理や、予め設定された情報に基づいて、紛失モード中の携帯電話機２の動作を制御する。
【００２７】
ユーザデータ２５及び紛失モード用制御データ２６は、例えばＲＡＭ（Random Access Memory）やＲＯＭ（Read Only Memory）に格納されている。ユーザデータ２５は、ユーザの個人情報や、電話帳、通話履歴、送受信メール等のデータである。これに対して、紛失モード用制御データ２６は、紛失モード制御部２４が、紛失モード中に参照するデータであり、紛失モード中における携帯電話機２の動作を制御するための制御プログラムに関する情報である。
【００２８】
なお、ユーザデータ２５と紛失モード用制御データ２６とは、格納するメモリを分ける等により別々に管理されることが好ましい。これは、セキュリティや個人情報保護の観点から、紛失時に携帯電話機２のユーザデータのみを容易に転送、削除可能とするためである。
【００２９】
続いて、本実施の形態にかかる携帯電話機２の動作について説明する。携帯電話機２の動作を示すシーケンス図を図４に示す。まず、ユーザが、携帯電話機２を紛失または盗難される（ステップＳ１１）。
【００３０】
紛失モード制御部２４は、無線通信部１１が基地局９１と通信を行っているか否かを判定する（ステップＳ１２）。なお、紛失モード制御部２４による通信判定処理は、携帯電話機２の紛失後に初めて行われるわけではなく、紛失等の前から行っている。
【００３１】
紛失モード制御部２４は、無線通信部１１と基地局９１とが、所定の時間以上継続して通信をしていないか否かを判定する（ステップＳ１３）。通信が定期的に行われているか否かの判定は、例えば、所定の時間間隔で通信有無の判定を行い、所定回数以上連続して通信が無い場合に、継続的に通信が行われていないと判定する。無線通信部１１と基地局９１との通信が定期的に行われている場合（ステップＳ１３：Ｎｏ）、紛失モード制御部２４は、再度、無線通信部１１と基地局９１との通信の有無の判定処理を行う（ステップＳ１２）。
【００３２】
無線通信部１１による基地局９１との通信が、所定の時間上継続して行われていない場合（ステップＳ１３：Ｙｅｓ）、紛失モード制御部２４は、紛失モードを実行する（ステップＳ１４）。これにより、携帯電話機２は、ユーザの操作に拘らず、紛失モード制御部２４により自動的に動作する。
【００３３】
紛失モードに移行すると、紛失モード制御部２４は、ユーザデータ２５のバックアップ処理を行う（ステップＳ１５）。具体的には、紛失モード制御部２４は、携帯電話機２のユーザデータ２５を、予め設定された外部機器（例えば、図２の自宅のＰＣ９４等）に送信する。これにより、仮に紛失した携帯電話機１が見つからなかった場合であっても、ユーザは、携帯電話機１に格納されたユーザデータ２５を使用することができる。紛失モード制御部２４は、ステップＳ１５のバックアップ処理が完了すると、ユーザデータ２５を消去する（ステップＳ１６）。
【００３４】
上記の転送処理（ステップＳ１５）及び消去処理（ステップＳ１６）は、紛失モード制御部２４により、自動的に実行される。そのため、携帯電話機２の操作部１２を操作することなく、転送処理及び消去処理が実行される。
【００３５】
以上のように、本実施の形態にかかる携帯電話機２の構成によれば、所定の時間以上継続して、携帯電話機２と基地局９１との通信が行われていない場合、紛失モード制御部２４が、紛失モードを実行する。そして、紛失モードへの移行後に、紛失モード制御部２４は、ユーザデータ２５の転送を行い、その後ユーザデータ２５を携帯電話機２から削除する。これにより、携帯電話機２からユーザデータを参照することはできなくなるため、ユーザデータが悪用されることを防止できる。勿論、紛失モード制御部２４の処理は、ユーザからの遠隔操作等の指示を待つことなく実行されるため、紛失または盗難された携帯電話機２に対して、迅速な対応をすることができる。
【００３６】
さらに、紛失モード制御部２４は、紛失モードにおいては、操作部１２からの入力を受け付けないとしてもよい。これにより、転送処理及び消去処理が妨げられることを防止できる。そのため、ユーザデータ２５を確実に保護することができる。
【００３７】
加えて、紛失モード制御部２４は、紛失モードにおいては、予め設定された電話番号にのみ発信可能となるように、携帯電話機２を制御してもよい。例えば、予め設定された電話番号以外の電話張データの削除等である。なお、予め設定された電話番号とは、ユーザの自宅の電話番号や、ユーザの家族の携帯電話機の番号である。これにより、紛失した携帯電話機２を取得した第三者は、ユーザのみと連絡を取ることができる。そのため、第三者は、ユーザに携帯電話機２の場所を連絡することができる。また、予め設定された電話番号以外には発信できないため、第三者の悪用を防止できる。
【００３８】
（変形例１）
本実施の形態にかかる携帯電話機２の変形例１について説明する。変形例１にかかる携帯電話機２の動作を示すシーケンス図を図５に示す。なお、紛失モードの実行（ステップＳ１４）までの処理動作は、図４を用いて説明した動作と同様であるため、説明を省略する。
【００３９】
紛失モードの実行中において、ユーザは、携帯電話機２を紛失したことに気が付き、予め設定された電話番号から、携帯電話機２に電話をかける。すると、携帯電話機２は、予め設定された電話番号から着信を受ける（ステップＳ２１）。なお、予め設定された電話番号とは、例えば、自宅の電話機９３の電話番号や、ユーザの家族の携帯電話番号等であり、ユーザが予め設定しておく。
【００４０】
紛失モード制御部２４は、予め設定された電話番号から着信を受けると、操作部１２の操作に拘らず、当該着信に応答する。これにより、携帯電話機２は、ユーザとの通話状態に移行する（ステップＳ２２）。つまり、紛失モード制御部２４は、予め設定された電話番号から着信を受けると、操作部１２において通話開始の操作が行われなくとも、自動的に、ユーザとの通話を開始する。これにより、ユーザと携帯電話機２とは通話状態となる（ステップＳ２３）。
【００４１】
なお、ユーザとの通話は音声通話でもよいし、ＴＶ電話であってもよい。ＴＶ電話の場合には、紛失モード制御部２４は、着信応答処理に加えて、カメラ２２を起動させ、カメラ２２が取得する映像をユーザに送信する。
【００４２】
以上のように、本実施の形態にかかる変形例１の構成によれば、紛失モード制御部２４は、予め設定された電話番号から着信を受けた場合、当該着信に自動的に応答する。これにより、ユーザと携帯電話機２との通話が開始される。そのため、紛失した携帯電話機２を拾った他人が拾っていれば、他人が電話に出ることができ、携帯電話機２の位置等を教えてもらうことができる。
【００４３】
さらに、紛失した携帯電話機２が誰にも拾われていない場合であっても、ＴＶ電話での通話状態となれば、ユーザは、携帯電話機２が存在する周囲の状況を映像として確認することができる。そのため、ユーザは、ＴＶ電話の映像（風景や音声）に基づいて、携帯電話機２の位置を特定することができる。
【００４４】
（変形例２）
本実施の形態にかかる携帯電話機２の変形例２について説明する。変形例２にかかる携帯電話機２の動作を示すシーケンス図を図６に示す。なお、紛失モードの実行（ステップＳ１４）までの処理動作は、図４を用いて説明した動作と同様であるため、説明を省略する。
【００４５】
紛失モードの実行中において、ユーザは、携帯電話機２を紛失したことに気が付き、予め設定されたメールアドレスから、携帯電話機２にメールを送る。すると、携帯電話機２は、予め設定されたメールアドレスからメールを受信する（ステップＳ３１）。なお、予め設定されたメールアドレスとは、例えば、自宅のＰＣ９４のメールアドレスや、ユーザの家族の携帯電話機のメールアドレスであり、ユーザが予め設定しておく。また、ユーザが送信するメールの内容は、空メールであってもよいし、所定の題名や本文が入力されていてもよい。
【００４６】
紛失モード制御部２４は、予め設定されたメールアドレスからメールを受信すると、カメラ２２を起動させ、携帯電話機２の周囲を撮像させる。それと共に、紛失モード制御部２４は、ＧＰＳ処理部２１に現在の携帯電話機２の位置情報を取得させる（ステップＳ３２）。撮像処理及び位置情報取得処理は、操作部１２の操作に拘らず、紛失モード制御部２４により自動的に実行される。これにより、紛失モード制御部２４は、携帯電話機２周囲の画像データ及び携帯電話機２の位置情報を取得する。
【００４７】
紛失モード制御部２４は、画像データ及び位置情報を取得すると、予め設定されたメールアドレスに画像データ及び位置情報を添付して、メールを送信する（ステップＳ３３）。このときの宛先は、ステップＳ３１において、受信したメールの送信元と同じメールアドレスでもよいし、当該送信元と異なるメールアドレスでもよい。
【００４８】
以上のように、本実施の形態にかかる変形例２の構成によれば、紛失モード制御部２４は、予め設定されたメールアドレスからメールを受信した場合、自動的に携帯電話機２の周囲の情報及び携帯電話機２の位置情報を取得し、予め設定されたメールアドレスにこれらの情報を送信する。そのため、ユーザは、いつでもリアルタイムの情報を取得することができる。これにより、ユーザは、携帯電話機２から送られてきた画像データ及び位置情報に基づいて、携帯電話機２の位置を特定することができる。
【００４９】
（変形例３）
本実施の形態にかかる携帯電話機２の変形例３について説明する。変形例３にかかる携帯電話機２の動作を示すシーケンス図を図７に示す。なお、紛失モードの実行（ステップＳ１４）までの処理動作は、図４を用いて説明した動作と同様であるため、説明を省略する。
【００５０】
紛失モードが実行されると、紛失モード制御部２４は、タイマ２３に計時を開始させる（ステップＳ４１）。その後、紛失モード制御部２４は、カメラ２２に撮像処理を実行させると共に、ＧＰＳ処理部２１に位置情報の取得を実行させる（ステップＳ４２）。
【００５１】
紛失モード制御部２４は、画像データ及び位置情報を取得すると、予め設定されたメールアドレスに画像データ及び位置情報を添付して、メールを送信する（ステップＳ３３）。
【００５２】
その後、タイマ２３が予め設定した時間を計時すると、タイマ２３は計時を停止する（ステップＳ４４）。ここで、所定の時間とは例えば１時間であり、ユーザが任意に設定することができる。
【００５３】
すると、紛失モード制御部２４は、再度、タイマ２３に計時を開始させる（ステップＳ４１）。そして、紛失モード制御部２４は、再度画像データ及び位置情報を取得し（ステップＳ４２）、予め設定されたメールアドレスに送信する（ステップＳ４３）。
【００５４】
以上のように、本実施の形態にかかる変形例３の構成によれば、紛失モード制御部２４は、自動的に、所定の時間間隔でカメラ２２が撮像した画像データ及びＧＰＳ処理部２１が取得した位置情報を、予め設定されたメールアドレスに送信する。これにより、ユーザは、定期的に携帯電話機２の周囲の情報及び携帯電話機２の位置情報を取得できる。そのため、ユーザは、携帯電話機２から送信されてくる情報を比較することにより、携帯電話機２が移動状態にあるか否かを判定できる。また、定期的に情報が送られてくるため、ユーザは、常に最新の情報を取得することができる。
【００５５】
（変形例４）
本実施の形態にかかる携帯電話機２の変形例４について説明する。変形例４にかかる携帯電話機２の動作を示すシーケンス図を図８に示す。なお、紛失モードの実行（ステップＳ１４）までの処理動作は、図４を用いて説明した動作と同様であるため、説明を省略する。
【００５６】
紛失モードが実行されると、紛失モード制御部２４は、一定の時間間隔で、カメラ２２に撮像処理を実行させると共に、ＧＰＳ処理部２１に位置情報の取得を実行させる（ステップＳ５１）。なお、ステップＳ５１の処理は、図７に示した方法によって実現してもよい。
【００５７】
次に、紛失モード制御部２４は、取得した位置情報に基づいて、携帯電話機２の位置が一定の距離以上移動したか否かを判定する（ステップＳ５２）。ここで、所定の距離とは、例えば１ｋｍであり、ユーザが適宜設定可能である。一定の距離以上移動したか否かは、例えば、位置情報を図示しないメモリに格納しておき、次のタイミングで取得した位置情報と、メモリに格納してある位置情報とを比較することにより判定できる。
【００５８】
携帯電話機２の位置が一定の距離以上移動していない場合（ステップＳ５２：Ｎｏ）、紛失モード制御部２４は、再度、一定間隔で位置情報を取得する（ステップＳ５１）。
【００５９】
一方、携帯電話機２が一定の距離以上移動した場合（ステップＳ５２：Ｙｅｓ）、紛失モード制御部２４は、予め設定されたメールアドレスに、取得した画像データ及び位置情報を送信する（ステップＳ５３）。そして、紛失モード制御部２４は、再度、一定間隔で位置情報を取得する（ステップＳ５１）。
【００６０】
以上のように、本実施の形態にかかる変形例３の構成によれば、紛失モード制御部２４は、携帯電話機２が一定の距離以上移動した場合に、カメラ２２が撮像した画像データ及びＧＰＳ処理部２１が取得した位置情報を、予め設定されたメールアドレスに送信する。これにより、携帯電話機２の位置の移動があった場合にのみ、周囲の情報及び位置情報がユーザに通知される。その結果、ユーザは、効率的に携帯電話機２の情報を取得することができる。
【００６１】
＜実施の形態３＞
本発明にかかる実施の形態３について説明する。本実施の形態にかかる携帯電話機３においては、上記の携帯電話機２に比べて、紛失モードに移行する条件が異なる。具体的には、携帯電話機３は、携帯電話機３の位置情報に基づいて、紛失モードに移行する。なお、その他の構成については携帯電話機２と同様であるので、説明を適宜省略する。
【００６２】
本実施の形態にかかる携帯電話機３の動作について説明する。携帯電話機３の動作を示すシーケンス図を図９に示す。まず、ユーザが、携帯電話機３を紛失または盗難される（ステップＳ６１）。
【００６３】
紛失モード制御部２４は、ＧＰＳ処理部２１に位置情報の取得を実行させる（ステップＳ６２）。なお、位置情報の取得は、携帯電話機３の紛失等の前から定期的に行われている。
【００６４】
紛失モード制御部２４は、取得した携帯電話機３の位置情報に基づいて、携帯電話機３が所定の区域か出たか否かを判定する（ステップＳ６３）。ここで、所定の区域とは、例えば、ユーザの日常の行動範囲である。具体的には、自宅から勤務先や学校までを含む区域や、ユーザが住んでいる都道府県やその隣接都道府県等である。所定の区域は、ユーザが適宜設定可能である。
【００６５】
携帯電話機３が所定の区域から出ていない場合（ステップＳ６３：Ｎｏ）、紛失モード制御部２４は、再度、定期的に位置情報を取得する（ステップＳ６２）。
【００６６】
一方、携帯電話機３が所定の区域から出た場合（ステップＳ６３：Ｙｅｓ）、紛失モード制御部２４は、紛失モードを実行する（ステップＳ６３：Ｙｅｓ）。これにより、携帯電話機３は、ユーザの操作に拘らず、紛失モード制御部２４により自動的に動作する。
【００６７】
以上のように、本実施の携帯にかかる携帯電話機３の構成によれば、紛失モード制御部２４は、携帯電話機３が予め設定された区域を出た場合に、紛失モードを実行する。そのため、第三者が盗難した携帯電話機３を所持して、ユーザの行動範囲とは異なる区域から出た場合に、携帯電話機３は紛失モードに移行できる。つまり、ユーザの意図しない区域に携帯電話機３が移動すると、ユーザからの遠隔操作等の指示を待つことなく、自動的に紛失モードが実行される。そのため、紛失または盗難された携帯電話機３に対して、迅速な対応をすることができる。
【００６８】
勿論、紛失モード実行後における携帯電話機３の動作については、実施の形態２において説明した各種処理を適宜選択または組み合わせることができる。そのため、紛失モード実行後の動作の説明は省略する。
【００６９】
＜実施の形態４＞
本発明にかかる実施の形態４について説明する。本実施の形態にかかる携帯電話機４においては、上記の携帯電話機２に比べて、紛失モードに移行する条件が異なる。具体的には、携帯電話機４は、ユーザによって所定時間タイマがリセットされない場合、紛失モードに移行する。なお、その他の構成については携帯電話機２と同様であるので、説明を適宜省略する。
【００７０】
本実施の形態においては、タイマ２３は、常に計時を行っている。また、ユーザの操作によって、タイマ２３の計時時間はリセットすることができる。
【００７１】
本実施の形態にかかる携帯電話機４の動作について説明する。携帯電話機４の動作を示すシーケンス図を図１０に示す。まず、ユーザが、携帯電話機４を紛失または盗難される（ステップＳ７１）。
【００７２】
紛失モード制御部２４は、タイマ２３の計時時間を取得する（ステップＳ７２）。なお、タイマ２３は、携帯電話機３の紛失等の前から計時を開始している。また、紛失モード制御部２４も、タイマ２３の計時時間を定期的に取得している。
【００７３】
紛失モード制御部２４は、タイマ２３の計時時間が所定の時間を経過しているか否かを判定する（ステップＳ７３）。ここで、所定の時間とは、例えば、半日（１２時間）や１日（２４時間）等であり、ユーザが適宜設定することができる。タイマ２３の計時時間が所定の時間を経過していない場合（ステップＳ７３：Ｎｏ）、紛失モード制御部２４は、再度、タイマ２３の計時時間の取得を行う（ステップＳ７２）。
【００７４】
一方、タイマ２３の計時時間が所定の時間を経過している場合（ステップＳ７３：Ｙｅｓ）、言い換えると、ユーザが所定の時間タイマ２３の計時時間をリセットしていない場合、紛失モード制御部２４は、紛失モードを実行する（ステップＳ７４）。これにより、携帯電話機３は、ユーザの操作に拘らず、紛失モード制御部２４により自動的に動作する。
【００７５】
以上のように、本実施の携帯にかかる携帯電話機４の構成によれば、紛失モード制御部２４は、ユーザによってタイマ２３の計時時間が所定の時間リセットされない場合、紛失モードを実行する。つまり、タイマ２３の計時時間がリセットされない場合、ユーザからの遠隔操作等の指示を待つことなく、自動的に紛失モードが実行される。そのため、紛失または盗難された携帯電話機４に対して、迅速な対応をすることができる。
【００７６】
勿論、紛失モード実行後における携帯電話機４の動作については、実施の形態２において説明した各種処理を適宜選択または組み合わせることができる。そのため、紛失モード実行後の動作の説明は省略する。
【００７７】
なお、本発明は上記実施の形態に限られたものではなく、趣旨を逸脱しない範囲で適宜変更及び組み合わせをすることが可能である。
【００７８】
上記の実施の形態の一部又は全部は、以下の付記のようにも記載され得るが、以下には限られない。
【００７９】
（付記１）
操作手段を備えた携帯端末であって、
基地局との間で通信を行う無線通信手段と、
前記無線通信手段と前記基地局との間で通信が行われているか否かを判定する通信判定手段と、
前記通信判定手段により前記基地局との通信が所定の時間行われていないと判定された場合、前記操作手段の操作に拘らず、予め設定された動作を前記携帯端末に実行させるための紛失モードを実行する実行手段と、
を備える携帯端末。
【００８０】
（付記２）
前記携帯端末の位置情報を取得する位置情報取得手段と、
前記位置情報が予め設定された区域を出たか否かを判定する位置判定手段と、をさらに備え、
前記実行手段は、前記位置判定手段により前記位置情報が予め設定された区域を出たと判定された場合、前記紛失モードを実行する付記１に記載の携帯端末。
【００８１】
（付記３）
前記実行手段は、前記紛失モードにおいて、前記位置情報取得手段に、前記位置情報を取得させ、予め設定されたメールアドレスに送信する付記２に記載の携帯端末。
【００８２】
（付記４）
前記実行手段は、前記紛失モードにおいて、所定の間隔で、前記位置情報を予め設定された前記メールアドレスに送信する付記２または３に記載の携帯端末。
【００８３】
（付記５）
計時手段と、
前記計時手段が予め設定された時間を計時したか否かを判定する時間判定手段と、をさらに備え、
前記実行手段は、前記時間判定手段により予め設定された前記時間が計時されたと判定された場合、前記紛失モードを実行する付記１〜４のいずれかに記載の携帯端末。
【００８４】
（付記６）
前記計時手段は、操作手段の操作に応じてリセット可能である付記５に記載の携帯端末。
【００８５】
（付記７）
前記実行手段は、前記紛失モードにおいて、予め設定された電話番号からの着信または予め設定されたメールアドレスからのメールの受信があった場合、予め設定された前記動作を前記携帯端末に実行させる付記１〜６のいずれかに記載の形態端末。
【００８６】
（付記８）
前記実行手段は、前記紛失モードにおいて、前記無線通信手段に対して、前記携帯端末に格納されたデータを、予め設定された外部機器に送信させる付記１〜７のいずれかに記載の携帯端末。
【００８７】
（付記９）
前記実行手段は、前記携帯端末に格納された前記データを、前記外部機器に送信した後に、前記データを消去する付記８に記載の携帯端末。
【００８８】
（付記１０）
前記実行手段は、前記紛失モードにおいて、前記操作手段の操作による入力を無効とする付記１〜９のいずれかに記載の携帯端末。
【００８９】
（付記１１）
前記実行手段は、前記紛失モードにおいて、予め設定された電話番号から着信があった場合、当該着信に応答し、通話を開始する付記１〜１０のいずれかに記載の携帯端末。
【００９０】
（付記１２）
前記実行手段は、前記紛失モードにおいて、予め設定された電話番号への発信のみを実行可能とする付記１〜１１のいずれかに記載の携帯端末。
【００９１】
（付記１３）
撮像手段をさらに備え、
前記実行手段は、前記紛失モードにおいて、前記撮像手段に対して撮像処理を実行させて画像データを取得し、前記無線通信手段に対して予め設定されたメールアドレスに前記画像データを送信させる付記１〜１２のいずれかに記載の携帯端末。
【００９２】
（付記１４）
操作手段を備えた携帯端末の制御方法であって、
無線通信手段と基地局との間で通信が行われているか否かを判定し、
前記基地局との通信が所定の時間行われていないと判定した場合、前記操作手段の操作に拘らず、予め設定された動作を前記携帯端末に実行させるための紛失モードを実行する携帯端末の制御方法。
【符号の説明】
【００９３】
１  携帯端末
２〜４  携帯電話機
１１  無線通信部
１２  操作部
１３  通信判定部
１４  実行部
２１  ＧＰＳ処理部
２２  カメラ
２３  タイマ
２４  紛失モード制御部
２５  ユーザデータ
２６  紛失モード用制御データ
９１  基地局
９２  ＧＰＳ衛星
９３  電話機
９４  ＰＣ
【図１】
2013176000.tif 000003
【図２】
2013176000.tif 000004
【図３】
2013176000.tif 000005
【図４】
2013176000.tif 000006
【図５】
2013176000.tif 000007
【図６】
2013176000.tif 000008
【図７】
2013176000.tif 000009
【図８】
2013176000.tif 000010
【図９】
2013176000.tif 000011
【図１０】
2013176000.tif 000012